(57)【要約】【課題】より柔軟に任意の期間の積算量を出力可能な情報出力装置を提供する。【解決手段】積算量算出手段１０は、ガス、電力、水道の少なくとも一つに関連する積算量を逐次算出する。積算量記憶手段１２は所定時間毎に積算量算出手段１０が算出した積算量を算出日時と組合せて逐次記憶する。使用者が期間指定手段１４により任意期間を指定すると、起点終点日時算出手段１５が期間指定手段１４で指定された任意期間の起点日時と終点日時とを算出し、積算量読出手段１６が起点終点日時算出手段１５で算出された起点日時と終点日時の両方の積算量を日時情報を基に積算量記憶手段１２から読出す。そして、任意期間積算量算出手段１７が積算量読出手段１６により読出した終点日時の積算量から起点日時の積算量を減算することにより任意期間の積算量を算出し、任意期間積算量出力手段１９が任意期間積算量算出手段１７で算出された任意期間の積算量を出力する。【選択図】図１
2011165367.tif 000002
【特許請求の範囲】
【請求項１】
ガス、電力、水道の少なくとも一つに関連する積算量を逐次算出する積算量算出手段と、所定時間毎に前記積算量算出手段が算出した前記積算量を算出日時と組み合わせて逐次記憶する積算量記憶手段と、使用者が任意期間を指定するための期間指定手段と、前記期間指定手段で指定された前記任意期間の起点日時と終点日時とを算出する起点終点日時算出手段と、前記起点終点日時算出手段で算出された起点日時と終点日時の両方の前記積算量を日時情報を基に前記積算量記憶手段から読み出す積算量読出手段と、前記積算量読出手段により読み出した終点日時の前記積算量から起点日時の前記積算量を減算することにより前記任意期間の前記積算量を算出する任意期間積算量算出手段と、前記任意期間積算量算出手段で算出された前記任意期間の前記積算量を出力する任意期間積算量出力手段とを備えた熱電併給装置の情報出力装置。
【請求項２】
前記積算量算出手段が逐次算出する積算量は、家庭内の電力使用量、電力会社からの買電量、電力会社への売電量、熱電併給装置が発電する発電量の内の少なくとも一つの積算量であることを特徴とする請求項１記載の熱電併給装置の情報出力装置。
【請求項３】
前記積算量算出手段が逐次算出する積算量は、家庭内の全てのガス使用量、熱電併給装置が発電のために使用したガス使用量、給湯に使用したガス使用量の少なくとも一つの積算量であることを特徴とする請求項１記載の熱電併給装置の情報出力装置。
【請求項４】
前記積算量算出手段が逐次算出する積算量は、家庭内の全ての水使用量、熱電併給装置が使用した水使用量の少なくとも一つの積算量であることを特徴とする請求項１記載の熱電併給装置の情報出力装置。
【請求項５】
前記任意期間積算量出力手段は、前記任意期間積算量算出手段で算出された前記任意期間の前記積算量を数値またはグラフ化して表示することを特徴とする請求項１から４のいずれか１項記載の熱電併給装置の情報出力装置。
【発明の詳細な説明】
【技術分野】
【０００１】
本発明は、熱電併給装置を設置した家庭におけるガス、電力、水道のいずれかに関連する情報を出力する熱電併給装置の情報出力装置に関するものである。
【背景技術】
【０００２】
従来の家庭におけるガス、水道に関連する情報を出力する情報出力装置としては、特許文献１に示すものがあった。図３は、特許文献１に記載された従来例を示すブロック図である。
【０００３】
図３において、計測手段５００は周期的にガス量、水量を計測して、計測値を出力する。積算手段５０１はこの計測値を積算する。カレンダ手段５０２はカレンダーに基づいて計時しつつ、時刻データを出力する。記憶手段５０３は、積算手段５０１が積算した積算値と計時手段５０２が出力する時刻データを関連付けて記憶する。
【０００４】
記憶手段５０３に記憶されたデータは、表示手段５０４において、日時と共に積算値を表示することで、使用者に期間毎の使用量を表示することができる。期間別積算管理手段５０５は、所定の期間毎に記憶手段５０３に対して、時刻データと積算値を関連付けて記憶するよう指示すると共に、積算手段５０１には、積算値のリセットと積算の再スタートを指示する役割を担っている。
【０００５】
通常、積算手段５０１は、計測手段５００が出力する計測値を積算しているが、期間別積算管理手段５０５からリセット＆積算開始の信号が入った場合には、積算値を一旦ゼロクリアし、ゼロから積算を再開する。例えば、期間別積算管理手段５０５が日毎に積算データを管理する場合は、２４時になった時点で、記憶手段５０３に対して、積算値と時刻データを関連付けて記憶するよう記憶指示を出力し、その後で、リセット＆積算開始を出力することによって前日の積算値をゼロクリアして、再積算を開始することで当日の積算を開始することができる。
【０００６】
この動作を日毎（２４時になる都度）に繰り返すことによって、記憶手段５０３に日毎のガス、水道の使用量を蓄積することができる。すなわち、この従来例では記憶手段５０３に保存される積算値は、時刻データが示す期間のガスや水道の使用量である。時刻データが日を示すのであれば、日毎のガスや電気の使用量であり、月を示す場合は月毎のガスや電気の使用量である。
【０００７】
以上の構成によって、カレンダーにおける所定の期間（年、月、日など）毎に積算値と時刻データを関連付けて保存しているので、使用者はカレンダーにおける期間単位での積算値（ガス、水の使用量）を表示手段５０４にて知ることが可能となる。
【先行技術文献】
【特許文献】
【０００８】
【特許文献１】特許第３０６１２１５号公報
【発明の概要】
【発明が解決しようとする課題】
【０００９】
しかしながら、上記従来の構成では、以下の課題を有していた。すなわち、予め定義された期間（月、週、日）の使用量を見るためには記憶装置から対応する期間のデータを読み出せば良いが、未定義の期間の使用量を見るためには別途計算が必要で、柔軟に対応できない。例えば、月の途中で過去１ヶ月分の使用量を見るためには、過去１ヶ月に相当する日毎の積算値の総和を算出しなければならない。
【００１０】
本発明は、上記従来の課題を解決するもので、より柔軟に任意の期間の積算量を出力することが可能な熱電併給装置の情報出力装置を提供することを目的とする。
【課題を解決するための手段】
【００１１】
上記目的を達成するために、本発明の熱電併給装置の情報出力装置は、ガス、電力、水道の少なくとも一つに関連する積算量を逐次算出する積算量算出手段と、所定時間毎に前記積算量算出手段が算出した前記積算量を算出日時と組み合わせて逐次記憶する積算量記憶手段と、使用者が任意期間を指定するための期間指定手段と、前記期間指定手段で指定された前記任意期間の起点日時と終点日時とを算出する起点終点日時算出手段と、前記起点終点日時算出手段で算出された起点日時と終点日時の両方の前記積算量を日時情報を基に前記積算量記憶手段から読み出す積算量読出手段と、前記積算量読出手段により読み出した終点日時の前記積算量から起点日時の前記積算量を減算することにより前記任意期間の前記積算量を算出する任意期間積算量算出手段と、前記任意期間積算量算出手段で算出された前記任意期間の前記積算量を出力する任意期間積算量出力手段とを備えた構成となっている。
【００１２】
上記構成において、積算量算出手段は、ガス、電力、水道の少なくとも一つに関連する積算量を逐次算出しており、積算量記憶手段は、所定時間毎に積算量算出手段が算出した積算量を算出日時と組み合わせて逐次記憶する。
【００１３】
使用者が期間指定手段により任意期間を指定すると、起点終点日時算出手段が期間指定手段で指定された任意期間の起点日時と終点日時とを算出し、積算量読出手段が起点終点日時算出手段で算出された起点日時と終点日時の両方の積算量を日時情報を基に積算量記憶手段から読み出す。
【００１４】
そして、任意期間積算量算出手段が積算量読出手段により読み出した終点日時の積算量から起点日時の積算量を減算することにより任意期間の積算量を算出し、任意期間積算量出力手段が任意期間積算量算出手段で算出された任意期間の積算量を出力する。
【００１５】
したがって、本発明の熱電併給装置の情報出力装置は、使用者が期間指定手段により指定した任意期間のガス、電力、水道の少なくとも一つに関連する積算量を、柔軟に早く出力でき、使用者は、期間指定手段により指定した任意期間のガス、電力、水道の少なくとも一つに関連する使用量を簡単に早く知ることができるので、エネルギー使用量の比較が容易であり、これからのエネルギー使用量削減に役立てることが可能となる。
【発明の効果】
【００１６】
本発明によれば、使用者が期間指定手段により指定した任意期間のガス、電力、水道の少なくとも一つに関連する積算量を、柔軟に早く出力でき、使用者は、期間指定手段により指定した任意期間のガス、電力、水道の少なくとも一つに関連する使用量を簡単に早く知ることができるので、エネルギー使用量の比較が容易であり、これからのエネルギー使用量削減に役立てることが可能となる。
【図面の簡単な説明】
【００１７】
【図１】本発明の実施の形態１における熱電併給装置の情報出力装置のブロック図
【図２】同実施の形態の熱電併給装置の情報出力装置における任意期間の使用量の算出方法を説明するための説明図
【図３】従来の情報出力装置のブロック図
【発明を実施するための形態】
【００１８】
第１の発明は、ガス、電力、水道の少なくとも一つに関連する積算量を逐次算出する積算量算出手段と、所定時間毎に前記積算量算出手段が算出した前記積算量を算出日時と組み合わせて逐次記憶する積算量記憶手段と、使用者が任意期間を指定するための期間指定手段と、前記期間指定手段で指定された前記任意期間の起点日時と終点日時とを算出する起点終点日時算出手段と、前記起点終点日時算出手段で算出された起点日時と終点日時の両方の前記積算量を日時情報を基に前記積算量記憶手段から読み出す積算量読出手段と、前記積算量読出手段により読み出した終点日時の前記積算量から起点日時の前記積算量を減算することにより前記任意期間の前記積算量を算出する任意期間積算量算出手段と、前記任意期間積算量算出手段で算出された前記任意期間の前記積算量を出力する任意期間積算量出力手段とを備えた熱電併給装置の情報出力装置である。
【００１９】
上記構成において、積算量算出手段は、ガス、電力、水道の少なくとも一つに関連する積算量を逐次算出しており、積算量記憶手段は、所定時間毎に積算量算出手段が算出した積算量を算出日時と組み合わせて逐次記憶する。
【００２０】
使用者が期間指定手段により任意期間を指定すると、起点終点日時算出手段が期間指定手段で指定された任意期間の起点日時と終点日時とを算出し、積算量読出手段が起点終点日時算出手段で算出された起点日時と終点日時の両方の積算量を日時情報を基に積算量記憶手段から読み出す。
【００２１】
そして、任意期間積算量算出手段が積算量読出手段により読み出した終点日時の積算量から起点日時の積算量を減算することにより任意期間の積算量を算出し、任意期間積算量出力手段が任意期間積算量算出手段で算出された任意期間の積算量を出力する。
【００２２】
したがって、本発明の熱電併給装置の情報出力装置は、使用者が期間指定手段により指定した任意期間のガス、電力、水道の少なくとも一つに関連する積算量を、柔軟に早く出力でき、使用者は、期間指定手段により指定した任意期間のガス、電力、水道の少なくとも一つに関連する使用量を簡単に早く知ることができるので、エネルギー使用量の比較が容易であり、これからのエネルギー使用量削減に役立てることが可能となる。
【００２３】
第２の発明は、第１の発明における前記積算量算出手段が逐次算出する積算量を、家庭内の電力使用量、電力会社からの買電量、電力会社への売電量、熱電併給装置が発電する発電量の内の少なくとも一つの積算量にしたものであり、使用者が期間指定手段により指定した任意期間の家庭内の電力使用量、電力会社からの買電量、電力会社への売電量、熱電併給装置が発電する発電量の内の少なくとも一つの積算量を、柔軟に早く出力でき、使用者は、期間指定手段により指定した任意期間の家庭内の電力使用量、電力会社からの買電量、電力会社への売電量、熱電併給装置が発電する発電量の内の少なくとも一つの積算量を簡単に早く知ることができるので、エネルギー量の比較が容易であり、これからの省エネルギー活動に役立てることが可能となる。
【００２４】
なお、燃料電池を用いた熱電併給装置で発電した電力を電力会社に売電できない場合の電力会社への売電としては、熱電併給装置の他にも太陽光発電システムを設置した家庭において、太陽光発電システムにより発電した電力の電力会社への売電が考えられる。
【００２５】
第３の発明は、第１の発明における前記積算量算出手段が逐次算出する積算量を、家庭内の全てのガス使用量、熱電併給装置が発電のために使用したガス使用量、給湯に使用したガス使用量の少なくとも一つの積算量にしたものであり、使用者が期間指定手段により指定した任意期間の家庭内の全てのガス使用量、熱電併給装置が発電のために使用したガス使用量、給湯に使用したガス使用量の少なくとも一つの積算量を、柔軟に早く出力でき、使用者は、期間指定手段により指定した任意期間の家庭内の全てのガス使用量、熱電併給装置が発電のために使用したガス使用量、給湯に使用したガス使用量の少なくとも一つの積算量を簡単に早く知ることができるので、エネルギー量の比較が容易であり、これからの省エネルギー活動に役立てることが可能となる。
【００２６】
なお、給湯に使用したガスについては、熱電併給装置に備えた給湯の補助加熱用のガス湯沸かし器の他に、熱電併給装置とは別に家庭に設置したガス給湯装置によるものを含めても構わない。
【００２７】
第４の発明は、第１の発明における前記積算量算出手段が逐次算出する積算量を、前記積算量算出手段が逐次算出する積算量は、家庭内の全ての水使用量、熱電併給装置が使用した水使用量の少なくとも一つの積算量にしたものであり、使用者が期間指定手段により指定した任意期間の家庭内の全ての水使用量、熱電併給装置が使用した水使用量の少なくとも一つの積算量を、柔軟に早く出力でき、使用者は、期間指定手段により指定した任意期間の家庭内の全ての水使用量、熱電併給装置が使用した水使用量の少なくとも一つの積算量を簡単に早く知ることができるので、水の使用量の比較が容易であり、これからの節水活動に役立てることが可能となる。
【００２８】
第５の発明は、第１から第４のいずれかの発明における前記任意期間積算量出力手段が、前記任意期間積算量算出手段で算出された前記任意期間の前記積算量を数値またはグラフ化して表示するものであり、ガス、電力、水道の少なくとも一つに関連する積算量の確認が容易になる。
【００２９】
なお、任意期間の積算量の数値表示またはグラフ表示については、複数の任意期間の積算量の数値またはグラフを並べて比較できるようにしても構わない。
【００３０】
以下、本発明の熱電併給装置の情報出力装置の実施の形態について、図面を参照しながら説明する。なお、この実施の形態によって本発明が限定されるものではない。
【００３１】
（実施の形態１）
図１は、本発明の実施の形態１における熱電併給装置の情報出力装置のブロック図であり、図２は、同実施の形態の熱電併給装置の情報出力装置における任意期間の使用量の算出方法を説明するための説明図である。
【００３２】
図１に示すように、本実施の形態の熱電併給装置の情報出力装置は、家庭内の全ての電力使用量を計測する家庭内全電力使用量計測手段１と、電力会社からの買電量を計測する電力会社からの買電量計測手段２と、家庭に設置した太陽光発電システム（図示せず）により発電した電力のうちの電力会社への売電量を計測する電力会社への売電量計測手段３と、家庭に設置され都市ガスと水を使って燃料電池で発電し発電時に発生する熱を回収して加温した湯を貯めて給湯に利用できるようにした熱電併給装置（図示せず）が発電する発電量を計測する熱電併給装置の発電量計測手段４と、家庭内の全ての都市ガスの使用量を計測する家庭内全ガス使用量計測手段５と、熱電併給装置が発電のために使用した都市ガスの使用量を計測する発電用のガス使用量計測手段６と、熱電併給装置に備えた給湯の補助加熱用のガス湯沸かし器に使用、または、熱電併給装置とは別に家庭に設置したガス給湯装置（図示せず）で使用、または、それらの両方の給湯に使用したガス使用量を計測する給湯用のガス使用量計測手段７と、家庭内の全ての水の使用量を計測する家庭内全水使用量計測手段８と、熱電併給装置が使用した水の使用量を計測する熱電併給装置水使用量計測手段９と、それらの計測手段１〜９による計測値の積算量を逐次算出する積算量算出手段１０と、少なくとも年月日時を含む現在日時（時刻）データを出力する計時手段１１と、計時手段１１から現在日時（時刻）データを入力して予め定められた所定時間（例えば、１分、５分、１０分、１５分、２０分、３０分、６０分、２時間）毎に積算量算出手段１０が算出した積算量を算出日時と組み合わせて逐次記憶する積算量記憶手段１２と、屋内に設置された熱電併給装置のリモコンの操作手段１３の一つを構成し熱電併給装置の使用者が任意期間を指定するための期間指定手段１４と、期間指定手段１４で指定された任意期間の起点日時と終点日時とを算出する起点終点日時算出手段１５と、起点終点日時算出手段１５で算出された起点日時と終点日時の両方の積算量を日時情報を基に積算量記憶手段１２から読み出す積算量読出手段１６と、積算量読出手段１６により読み出した終点日時の積算量から起点日時の積算量を減算することにより任意期間の積算量を算出する任意期間積算量算出手段１７と、屋内に設置された熱電併給装置のリモコンの表示手段１８の一つを構成し任意期間積算量算出手段１７で算出された任意期間の積算量を出力（任意期間の積算量の数値を直接またはグラフ化して表示）する任意期間積算量出力手段１９とを備える。
【００３３】
なお、積算量算出手段１０としては、計測するデータ毎に具備する不揮発性のレジスタ（図示せず）と、少なくとも一つの加算器（図示せず）を備え、計測手段１〜９が出力する計測値が入力される都度、レジスタが保持するデータと入力された計測値を加算して、その和である積算値でレジスタの値を更新して出力するものが考えられる。
【００３４】
ここで重要なポイントは、積算量算出手段１０は、計測するデータ毎に具備するレジスタにひたすら計測手段１〜９の出力する計測値を積算する点である。レジスタの内容はカレンダの節目でクリアされることはなく、熱電併給装置のライフサイクルにおいて、その設置からライフエンドまで常に積算される。この結果、積算量算出手段１０の構成がシンプルとなるので、部品点数の削減による品質向上、コスト削減に繋がるのは明白である。
【００３５】
この場合、計測値の値をひたすら積算してレジスタに保存することになるので、レジスタのビット長が長くなって、実現困難になることが心配される。しかしながら、計測するデータが、家庭内の電力使用量、電力会社からの買電量、電力会社への売電量、熱電併給装置が発電する発電量、家庭内の全てのガス使用量、熱電併給装置が発電のために使用したガス使用量、給湯に使用したガス使用量、家庭内の全ての水使用量、熱電併給装置が使用した水使用量といった量であるので、自ずと有限の値に収まるのは明白である。
【００３６】
電力の使用量を例に挙げると、標準家庭では月２７０ｋＷｈの電力を使用するが、１日最大２０ｋＷｈを使用する家庭があるとすると、１年で７，３００ｋＷｈ、熱電併給装置のライフサイクルを１０年とすると、そのライフサイクルにおける電力使用量は７３，０００ｋＷｈである。小数点第２位までを計測し、１００倍値を保存すると仮定しても、レジスタに７，３００，０００まで保存できれば良いことになる。したがって、３２ビット長のレジスタを用意するれば、保存することが可能であり、十分に実現可能であることは明らかである。
【００３７】
使用者が期間指定手段１４で任意期間を指定する仕方は、例えば、カレンダに合わせて、今月、先週という指定、２００９年４月のような指定、起点となる日時とそこから順／逆方向への日数の指定（例えば、本日から過去２ヶ月という指定、今日から過去１ヶ月、先月の初めの１０日間という指定、２００９年４月２日から１０日間という指定）、起点となる日時と終点となる日時の両方の指定である。
【００３８】
次に、本実施の形態の熱電併給装置の情報出力装置の動作を説明する。家庭内全電力使用量計測手段１は、家庭内の全ての電力使用量を計測する。電力会社からの買電量計測手段２は、電力会社からの買電量を計測する。電力会社への売電量計測手段３は、家庭に設置した太陽光発電システムにより発電した電力のうちの電力会社への売電量を計測する。熱電併給装置の発電量計測手段４は、家庭に設置された熱電併給装置が発電する発電量を計測する。家庭内全ガス使用量計測手段５は、家庭内の全ての都市ガスの使用量を計測する。発電用のガス使用量計測手段６は、熱電併給装置が発電のために使用した都市ガスの使用量を計測する。給湯用のガス使用量計測手段７は、熱電併給装置に備えた給湯の補助加熱用のガス湯沸かし器に使用、または、熱電併給装置とは別に家庭に設置したガス給湯装置で使用、または、それらの両方の給湯に使用したガス使用量を計測する。家庭内全水使用量計測手段８は、家庭内の全ての水の使用量を計測する。熱電併給装置水使用量計測手段９は、熱電併給装置が使用した水の使用量を計測する。
【００３９】
そして、積算量算出手段１０は、それらの計測手段１〜９による計測値の積算量を逐次算出する。一方、計時手段１１は、少なくとも年月日時を含む現在日時（時刻）データを出力する。そして、積算量記憶手段１２は、計時手段１１から現在日時（時刻）データを入力して予め定められた所定時間（例えば、１分、５分、１０分、１５分、２０分、３０分、６０分、２時間）毎に積算量算出手段１０が算出した積算量を算出日時と組み合わせて逐次記憶する。
【００４０】
熱電併給装置の使用者が、屋内に設置された熱電併給装置のリモコンの操作手段１３により、家庭内の電力使用量、電力会社からの買電量、電力会社への売電量、熱電併給装置が発電する発電量、家庭内の全てのガス使用量、熱電併給装置が発電のために使用したガス使用量、給湯に使用したガス使用量、家庭内の全ての水使用量、熱電併給装置が使用した水使用量のうち知りたい情報を選択し、その選択した知りたい情報の知りたい期間をリモコンの操作手段１３にある期間指定手段１４で指定する。
【００４１】
図２の例で説明すると、日付終了時点の家庭内全電力使用積算量を日付と組み合わせて２０１０年１月１日から前日の２０１０年５月１１日までの分を積算量記憶手段１０に記憶させている状態で、前日までの最近３１日間の家庭内全電力使用量を指定している。
【００４２】
次に、起点終点日時算出手段１５は、期間指定手段１４で指定された任意期間（前日までの最近３１日間）の起点日時と終点日時とを算出する。この場合、起点終点日時算出手段１５は、起点日時を２０１０年４月１０日と算出し、終点日時を２０１０年５月１１日と算出する。
【００４３】
次に、積算量読出手段１６は、起点終点日時算出手段１５で算出された起点日時（２０１０年４月１０日）と終点日時（２０１０年５月１１日）の両方の家庭内全電力使用量の積算量を日時情報を基に積算量記憶手段１２から読み出す。そして、任意期間積算量算出手段１７が、積算量読出手段１６により読み出した終点日時（２０１０年５月１１日）の家庭内全電力使用量の積算量から起点日時（２０１０年４月１０日）の家庭内全電力使用量の積算量を減算することにより、任意期間（前日までの最近３１日間）の家庭内全電力使用量（積算量）を算出する。
【００４４】
次に、任意期間積算量算出手段１７で算出された任意期間（前日までの最近３１日間）の家庭内全電力使用量（積算量）が、任意期間積算量出力手段１９により熱電併給装置のリモコンの表示手段１８に、その数値を直接またはグラフ化して表示する。
【００４５】
ここで重要な点は、使用者は、任意の形式で期間を指定可能であり、期間の指定の形式によって、データが表示されるまでのオーバヘッドにかかる時間が変わらないことである。したがって、使用者は、年、月、週、日といったカレンダ単位のみならず、任意の形式で指定した期間の電気の使用量を見ることができる。
【００４６】
また、使用者は気になる期間の電気（電力）の使用量を見ることで、その期間を参考としてこれからのエネルギーの使用量を削減しようとか、順調に節電できているとかといった判断をすることが可能となる。
【００４７】
ここでは、家庭内の電気のすべての使用量の蓄積と表示に着目して説明してきたが、熱電併給装置では他に燃料電池の発電量、発電量を上回る電気を使用した際に電力会社から買った買電量、発電時に回収した熱量、燃料電池で発電のために使用したガス量、バックアップ熱源で使用したガス量、熱電併給装置から出湯した湯量などに適用することも可能である。
【００４８】
さらにまた、太陽光発電システムでは、太陽電池による発電量、電力会社への売電量に適用することも可能である。ガス給湯装置では、ガス給湯器のガスの使用量、電気給湯装置では、電気給湯器の電気の使用量などにも展開することが可能である。
【００４９】
以上によって、本実施の形態が優れる点を再度記述すると、使用者が任意の期間を指定すれば、その期間からデータの算出用開始日時と算出用終了日時を決定して、それらに対応するデータを読み出し、それらの差分を計算をすることによって任意の期間に対応するデータを得ることができるので、使用者はカレンダ単位のみならず、未来と熱電併給装置の設置前を除くどんな期間であっても、その期間に対応するデータを見ることができる点にある。なので、使用者はデータを見ることができる期間が限定されずに、任意の期間のデータを表示させて見ることができるので、比較したい期間を自由に変えて、これからのエネルギーの使用量の削減を意識することや、これまでのエネルギー削減の努力の結果を見ることが可能となる。
【００５０】
さらに、任意期間の指定形式がどういった形式であれ、どういった長さであれ、その開始日時と終了日時のデータを読み出して差分を１回取れば、使用量を算出することが可能であり、計算量が膨大に増えることがない。
【００５１】
従来例ではカレンダーにおける月、週、日の単位でデータを保存しているので、その単位から外れたデータを表示するのであれば、カレンダー単位のデータを使った計算を繰り返さないと所望のデータを得ることができないのは明白である。例えば、月の途中で過去１ヶ月の使用量を得る為には、従来例では過去１ヶ月分の日毎データを読み出して３０回、又は３１回の和算をしなければならないが、本実施の形態では、任意期間から抽出した算出用開始日時と算出用終了日時をタグとするデータを読み出して、差分を取れば任意期間の使用量となる。
【００５２】
以上説明したように、本実施の形態の熱電併給装置の情報出力装置は、家庭内の全ての電力使用量を計測する家庭内全電力使用量計測手段１と、電力会社からの買電量を計測する電力会社からの買電量計測手段２と、家庭に設置した太陽光発電システム（図示せず）により発電した電力のうちの電力会社への売電量を計測する電力会社への売電量計測手段３と、家庭に設置され都市ガスと水を使って燃料電池で発電し発電時に発生する熱を回収して加温した湯を貯めて給湯に利用できるようにした熱電併給装置（図示せず）が発電する発電量を計測する熱電併給装置の発電量計測手段４と、家庭内の全ての都市ガスの使用量を計測する家庭内全ガス使用量計測手段５と、熱電併給装置が発電のために使用した都市ガスの使用量を計測する発電用のガス使用量計測手段６と、熱電併給装置に備えた給湯の補助加熱用のガス湯沸かし器に使用、または、熱電併給装置とは別に家庭に設置したガス給湯装置（図示せず）で使用、または、それらの両方の給湯に使用したガス使用量を計測する給湯用のガス使用量計測手段７と、家庭内の全ての水の使用量を計測する家庭内全水使用量計測手段８と、熱電併給装置が使用した水の使用量を計測する熱電併給装置水使用量計測手段９と、それらの計測手段１〜９による計測値の積算量を逐次算出する積算量算出手段１０と、少なくとも年月日時を含む現在日時（時刻）データを出力する計時手段１１と、計時手段１１から現在日時（時刻）データを入力して予め定められた所定時間（例えば、１分、５分、１０分、１５分、２０分、３０分、６０分、２時間）毎に積算量算出手段１０が算出した積算量を算出日時と組み合わせて逐次記憶する積算量記憶手段１２と、屋内に設置された熱電併給装置のリモコンの操作手段１３の一つを構成し熱電併給装置の使用者が任意期間を指定するための期間指定手段１４と、期間指定手段１４で指定された任意期間の起点日時と終点日時とを算出する起点終点日時算出手段１５と、起点終点日時算出手段１５で算出された起点日時と終点日時の両方の積算量を日時情報を基に積算量記憶手段１２から読み出す積算量読出手段１６と、積算量読出手段１６により読み出した終点日時の積算量から起点日時の積算量を減算することにより任意期間の積算量を算出する任意期間積算量算出手段１７と、屋内に設置された熱電併給装置のリモコンの表示手段１８の一つを構成し任意期間積算量算出手段１７で算出された任意期間の積算量を出力（任意期間の積算量の数値を直接またはグラフ化して表示）する任意期間積算量出力手段１９とを備える。
【００５３】
上記構成において、積算量算出手段１０は、ガス、電力、水道の少なくとも一つに関連する積算量を逐次算出しており、積算量記憶手段１２は、所定時間毎に積算量算出手段１０が算出した積算量を算出日時と組み合わせて逐次記憶する。
【００５４】
使用者が期間指定手段１４により任意期間を指定すると、起点終点日時算出手段１５が期間指定手段１４で指定された任意期間の起点日時と終点日時とを算出し、積算量読出手段１６が起点終点日時算出手段１５で算出された起点日時と終点日時の両方の積算量を日時情報を基に積算量記憶手段１２から読み出す。
【００５５】
そして、任意期間積算量算出手段１７が積算量読出手段１６により読み出した終点日時の積算量から起点日時の積算量を減算することにより任意期間の積算量を算出し、任意期間積算量出力手段１９が任意期間積算量算出手段１７で算出された任意期間の積算量を出力する。
【００５６】
したがって、本実施の形態の熱電併給装置の情報出力装置は、使用者が期間指定手段１４により指定した任意期間のガス、電力、水道の少なくとも一つに関連する積算量を、柔軟に早く出力でき、使用者は、期間指定手段１４により指定した任意期間のガス、電力、水道の少なくとも一つに関連する使用量を簡単に早く知ることができるので、エネルギー使用量の比較が容易であり、これからのエネルギー使用量削減に役立てることが可能となる。
【００５７】
また、任意期間積算量出力手段１９は、任意期間積算量算出手段１７で算出された任意期間の積算量を数値またはグラフ化して表示するものであり、ガス、電力、水道の少なくとも一つに関連する積算量の確認が容易になる。なお、任意期間の積算量の数値表示またはグラフ表示については、複数の任意期間の積算量の数値またはグラフを並べて比較できるようにしても構わない。
【産業上の利用可能性】
【００５８】
本発明にかかる熱電併給装置の情報出力装置は、使用者が期間指定手段により指定した任意期間のガス、電力、水道の少なくとも一つに関連する積算量を、柔軟に早く出力でき、使用者は、期間指定手段により指定した任意期間のガス、電力、水道の少なくとも一つに関連する使用量を簡単に早く知ることができるので、エネルギー使用量の比較が容易であり、これからのエネルギー使用量削減に役立てることが可能となる。また、少ない計算量で任意期間の使用量を得ることが可能であり、その使用量を示すことが可能な情報出力装置を備えた熱電併給装置として有用である。また、家庭用の熱電併給装置のみならず、太陽光発電装置、給湯装置などエネルギー機器全般において、エネルギーの使用量、生成量を示す等の用途にも応用できる。
【符号の説明】
【００５９】
１０  積算量算出手段
１２  積算量記憶手段
１４  期間指定手段
１５  起点終点日時算出手段
１６  積算量読出手段
１７  任意期間積算量算出手段
１９  任意期間積算量出力手段
【図１】
2011165367.tif 000003
【図２】
2011165367.tif 000004
【図３】
2011165367.tif 000005